(57)【要約】【課題】既存のファイルフォルダに容易に取り付けられる安価なファイル検索用子機を提供する。【解決手段】本発明のファイル検索用子機は、固有識別情報と発光素子とを有し、ファイル検索用親機から送られた前記固有識別情報と発光指令とを含む指令に応じて前記発光素子を発光させる電子装置と、２以上のファイルフォルダ用綴じ穴を有し、前記電子装置を取り付けたシートと、を有する。【選択図】　　　　図１
2004035190.tif 000002
【特許請求の範囲】
【請求項１】
固有識別情報と発光素子とを有し、ファイル検索用親機から送られた前記固有識別情報と発光指令とを含む指令に応じて前記発光素子を発光させる電子装置と、
２以上のファイルフォルダ用綴じ穴を有し、前記電子装置を取り付けたシートと、
を有することを特徴とするファイル検索用子機。
【請求項２】
前記シートをファイルフォルダに綴じた状態で、前記発光素子が前小口から背に向かう方向に発光するように、前記電子装置を前記シートに取り付けていることを特徴とする請求項１に記載のファイル検索用子機。
【請求項３】
前記シートをファイルフォルダに綴じた状態で、前記発光素子が天から地に向かう方向又は地から天に向かう方向に発光するように、前記電子装置を前記シートに取り付けていることを特徴とする請求項１に記載のファイル検索用子機。
【請求項４】
前記シートが、縦長ファイルフォルダ用綴じ穴及び横長ファイルフォルダ用綴じ穴の両方を有すること、又は複数の異なる大きさのファイルフォルダ用綴じ穴を有することを特徴とする請求項１に記載のファイル検索用子機。
【請求項５】
前記ファイルフォルダ用綴じ穴が、Ａ３、Ａ４、Ａ５、Ｂ４、Ｂ５若しくはＢ６の縦長若しくは横長ファイルフォルダ用のピッチ８０ｍｍの２穴、Ａ４の縦長ファイルフォルダ用のピッチ８０ｍｍの４穴、Ａ４の縦長ファイルフォルダ用のピッチ９．５ｍｍの３０穴、Ｂ５の縦長ファイルフォルダ用のピッチ９．５ｍｍの２６穴、又はレターサイズ用のピッチ１０８ｍｍの３穴の何れかを含むことを特徴とする請求項１から請求項４のいずれかの請求項に記載のファイル検索用子機。
【請求項６】
固有識別情報と発光素子とを有し、ファイル検索用親機から送られた前記固有識別情報と発光指令とを含む指令に応じて前記発光素子を発光させる電子装置と、
平面形状であって一端に前記電子装置を取り付けたシート、又は各々の１辺を直接又は他の面を介して相互に接続され狭い間隔でほぼ平行に対向する第１の平面と第２の平面とを有し、前記第１の平面の一端に前記電子装置を取り付け、前記第１の平面の前記電子装置を取り付けた部分に対向する所に前記第２の平面が存在しないシートと、
を有することを特徴とするファイル検索用子機。
【請求項７】
固有識別情報と発光素子とを有しファイル検索用親機から送られた前記固有識別情報と発光指令とを含む指令に応じて前記発光素子を発光させる電子装置を有するファイル検索用子機を載せるラックであって、その棚板がラックの前側から後側に向かって取り付け高さが低くなるように傾いて取り付けられていることを特徴とするファイル検索用子機保管ラック。
【請求項８】
少なくとも１段の棚板の傾き角度がその棚板よりも上段の棚板の傾き角度よりも大きく、各棚板の傾き角度はその棚板よりも上段の棚板の傾き角度と同一又はそれよりも大きいことを特徴とする請求項７に記載のファイル検索用子機保管ラック。
【発明の詳細な説明】
【０００１】
【発明の属する技術分野】
本発明は、ファイル検索システムの検索用子機とその保管ラックとに関する。
【０００２】
【従来の技術】
例えば病院は膨大なカルテを保管ラックに管理しており、患者を診断等する都度、そのカルテを保管ラックから探し出し、新たな情報を記載し、再び保管ラックに戻している。病院は、カルテの検索に多くの時間を割いており、大病院ではそのために多くの職員を雇用している。又、誤ったカルテを取り出して重大な医療事故が発生する恐れがあるため、検索したカルテが正しいことを確認する確認作業にも多くの時間が費やされている。病院の職員が誤ったカルテを取り出すことを防止し、職員が目的のカルテを探し出す時間を短縮して職員の作業効率を改善するファイル検索システムが注目されている。ファイル検索システムは、その具体的な用途に応じて例えばファイルサーチ、カルテ管理装置と呼ばれている。ファイル検索システムは、例示した病院の他、種々のファイル（文書及び物等を含む。）を保管する用途に使用可能である。本明細書において、ファイルとは、文書、物等の保管物を意味する。
【０００３】
図１０〜１２を用いて、従来例のファイル検索システムを説明する。ユーザはファイル検索用親機８０１（コンピュータ）によりラックに保管された複数のファイルの登録データの中から検索したいファイルを選択し、検索コマンドを入力する。ファイル検索用親機８０１は、そのファイルに取付けられたファイル検索用子機１０００にその発光素子を点灯することを指令するコマンドと、そのファイル検索用子機１０００の固有識別情報とを、全てのファイル検索用子機に送る。コマンドを受けたファイル検索用子機１０００はコマンドに添付された固有識別情報が自己の固有識別情報と一致すると、発光素子（表示器）を点灯して、ユーザにその所在場所を知らしめる。ユーザ（検索者）は目視により、保管ラック内の発光素子が点灯しているファイル検索用子機が取付けられたフォルダを取出すことにより、検索ファイルを素早く探しすことができる。
【０００４】
図１０は従来例のファイル検索システムの概略的な構成を示す。本明細書において、全ての図面は図示を目的とした概要的表現により描かれており、特に電子装置を相対的に大きく記載している。図１０において、従来例のファイル検索システムは、ファイル検索用親機８０１、分配器８０２、保管ラック１００３、複数のファイル検索用子機１０００（各々固有識別情報を有する。）を有する。
保管ラック１００３は複数段の棚板８０５を有し、各棚の上にファイル検索用子機１０００を搭載する。ファイル検索用子機１０００は、電子装置１０２及びファイルフォルダ１００４を有する。
【０００５】
ファイル検索用親機８０１はコンピュータであって、複数のファイル検索用子機１０００を管理する。分配器８０２は、ファイル検索用親機８０１と接続されており、且つ複数の保管ラックと接続されている。分配器８０２は、ファイル検索用親機８０１から伝送された電力及びコマンドを複数のファイル検索用子機１０００に転送し、複数のファイル検索用子機１０００からのレスポンスをファイル検索用親機８０１に伝送する。コマンドは、例えば特定の固有識別情報を有するファイル検索用子機１０００に発光を指令するコマンドである。レスポンスは、例えばそのコマンドに対する応答（例えばＡＣＫ）である。
保管ラック１００３は、複数の棚板８０５の上にファイル検索用子機１０００を搭載する。保管ラック１００３は、棚板に取り付けされたレール（両面プリント基板で形成されている。）の上下に設けられた導体パターンを通じて、分配器８０２と保管ラック１００３との接続線と（ファイル検索用親機８０１と）、各ファイル検索用子機と、を接続する。全ての段の棚板８０５は、棚板の上面が水平になるように取り付けられている。
【０００６】
図１１は従来例のファイル検索用子機１０００の外観図である。従来例のファイル検索用子機１０００は、樹脂製のファイルフォルダ１００４の背に電子装置１０２を取り付けた構造を有する。電子装置１０２は樹脂製の固定部１１０１により固定されている（図１２参照）。樹脂製の固定部１１０１は、ファイルフォルダ１００４の一部であり、ファイルフォルダ１００４の本体と一体に成形されている。
ユーザは、任意のファイル（例えば病院のカルテ）をファイルフォルダ１００４に挟み込む。
【０００７】
図１２は、ファイル検索用子機１０００と棚板８０５との接続部分を拡大した図である。図１２において、棚板８０５の前縁部（ラックの前側）にはレール１２０１、ガイドフレーム１２０２、レールカバー１２０３が取り付けられている。
電子装置１０２は、ラックに取り付けた状態でラックの前側に向かって発光する発光素子１２０４（従来例においては赤色発光ダイオードである。）、第１の凹部１２０５、接点対１２０６、第２の凹部１２０７を有する。
ユーザは、ファイルフォルダ１００４を棚板８０５の上に載せ、矢印１２０８の方向に押し込み、第１の凹部１２０５とレール１２０１とを勘合させ、第２の凹部１２０７とガイドフレーム１２０２とを勘合させる。レールカバー１２０３が固定部１１０１の底面と接する。
第１の凹部１２０５とレール１２０１とを勘合させた状態で、電子装置１０２の接点対１２０６は、レール１２０１（両面プリント基板）の上下に設けられた導体パターン（平面電極）と接続される。これにより電子装置１０２は、ファイル検索用親機８０１と電気的に接続される。電子装置１０２は、ファイル検索用親機８０１から電力供給を受け、ファイル検索用親機８０１と通信を行う。
【０００８】
ユーザは、ファイル検索用親機８０１から所望のファイルの固有識別情報を入力する。ユーザはファイル検索用親機８０１のキーボードを用いて固有識別情報を入力しても良く、例えば患者の検診カードをカードリーダに入力して検診カードに記憶されている患者の固有識別情報を読み取っても良い。カードリーダを用いることにより、キー入力ミスを排除できる。ファイル検索用親機８０１は、分配器８０２を通じてその固有識別情報を有するファイル検索用子機１０００に発光を指令するコマンドを送信する。その固有識別情報を有するファイル検索用子機１０００は、コマンドに応じて発光素子１２０４を発光させる。ユーザは、所望のファイルを容易に発見出来る。
【０００９】
【発明が解決しようとする課題】
上記のようにファイル検索システムは非常に有用である。ファイル検索システムは既にフォルダにファイリングされたファイルに対して導入されることが多い。新規に従来のファイル検索システムを導入する時、ユーザは既存の全てのファイル（例えば文書）をそれらを保管していたファイルフォルダ（例えば紙ファイルフォルダ）からファイル検索用子機のファイルフォルダに移さなければならなかった。ファイルの数が膨大であれば、ファイル検索システムの有用性は高くなるが、ファイルを移す労力も大きくなる。その作業負担はファイル検索システムを新たに導入する上で障害になっていた。
又、紙製のファイルフォルダ、種々の形及び大きさの箱等、既存のファイルフォルダの種類は多く、市場で使用されている全ての種類のファイルフォルダを持つファイル検索用子機を製品として揃えることはメーカーにとって困難であった。ユーザは、メーカーが提供する限られた種類のファイルフォルダから使用するファイルフォルダを選択しなければならなかった。又、ファイルフォルダを有するファイル検索用子機は高価であった。
【００１０】
既存のファイルフォルダにファイル検索用子機を容易に取り付けることが出来れば、ファイル検索システムを導入する時の労力、時間及びその費用（主として人件費）を大幅に削減できる。
既存のファイルフォルダに取り付け可能なファイル検索用子機は、以下のような特性を要求される。第１に、検索したファイルを閲覧している時に、ファイル検索用子機がファイルフォルダから簡単に外れてはならない。第２に、ファイル検索用子機（特にその電子装置）は高価であるため、ファイルフォルダをそこに格納されているファイルと共に別の場所（倉庫等）に移管する時又はファイルフォルダを廃棄する場合、ファイル検索用子機を旧いファイルフォルダから容易に取り外すことができ、別の新しいファイルフォルダに容易に取り付けられなければならない。第３に、特にラックの所定の位置に取り付けた接続端子とファイル検索用子機とを接続する有線接続方式のファイル検索システムにおいて、ファイル検索用子機をファイルフォルダに取り付けた状態でのファイル検索用子機の端子の位置が、ラックの接続端子と容易にドッキング出来る程度に定まるものでなければならない。
【００１１】
例えば電子装置に両面テープを貼り付けたファイル検索用子機が考えられる。しかし、両面テープで既存のファイルフォルダに取り付けるファイル検索用子機は、両面テープの粘着力が経時的に変化して弱まった場合、簡単にファイルフォルダから外れてしまう恐れがある。又、旧いファイルフォルダからファイル検索用子機を取り外し、新しいファイルフォルダに移す場合、工場で生産した時に貼り付けた両面テープは使用できなくなる。ユーザが代替の両面テープを貼り付けることも出来るが、ユーザが新たに貼り付けた両面テープが十分強い粘着力と高い信頼性（例えば粘着力が、経時的にほとんど変化せず、温度等の環境の影響をほとんど受けない。）とを有するテープであると言う保証は無くなってしまう。又、ユーザは両面テープを用いるファイル検索用子機をファイルフォルダの任意の位置に貼り付けることが出来る故に、特にラックの所定の位置に取り付けた接続端子とファイル検索用子機とを接続する有線接続方式のファイル検索システムにおいて、ファイルフォルダをラックに格納した時、ファイル検索用子機の端子がラックの接続端子としっかりドッキングしない（接続不良を生じる）恐れがある。
【００１２】
本発明は、新規にファイルシステムを導入する時、既存のファイルフォルダに容易に取り付けられる安価なファイル検索用子機を提供することを目的とする。
本発明は、ファイルフォルダから簡単に外れないファイル検索用子機を提供することを目的とする。
本発明は、それまで取り付けられていたファイルフォルダから新しいファイルフォルダに容易に移し変えることが出来るファイル検索用子機を提供することを目的とする。
本発明は、ファイル検索用子機をファイルフォルダに取り付けた状態でのファイル検索用子機の接続端子の位置が、ほぼ一定になり、ファイルフォルダをラックに格納した時、ファイル検索用子機の接続端子がラックの接続端子と確実にドッキングする有線接続方式のファイル検索用子機を提供することを目的とする。
【００１３】
従来のファイル検索システムのファイル検索用子機の保管ラックの各段の棚板は図１０に示すように水平に設置されていた。しかし、従来のファイル検索用子機の保管ラックにおいては、特に下段の棚板に載せたファイル検索用子機が発光した場合、検索者（ユーザ）が発見しづらいという問題があった。特にファイル検索用子機の発光素子が狭い指向性を有する場合（例えば発光素子が発光ダイオードである場合）、ユーザは視線を低くしなければ（腰をかがめなければ）下段の棚板に置かれて発光しているファイル検索用子機を発見できなかった。
有線通信方式のファイル検索システムにおいて、ラック内のファイルフォルダを取り出した時、その両隣のファイルフォルダが摩擦により前面に移動し、ラック内の保管位置がずれる恐れがあった。両隣りのファイルフォルダの保管位置が大きくずれた場合、これらのファイルフォルダに取り付けられたファイル検索用子機の接続端子とラックの接続端子との接続が断たれ、ファイル検索用子機とファイル検索用親機との間の通信が出来なくなるという問題があった。
特にファイルフォルダの下部にファイル検索用子機の電子装置を取り付けた場合、ファイルフォルダの重心が棚板の前エッジ近傍に来て、ファイルフォルダが前面に倒れ易くなる。
【００１４】
本発明は、ファイル検索用子機の発光素子がある程度指向性を有していても、ユーザが視線を低くしなくても、発光しているファイル検索用子機を容易に発見できるファイル検索用子機保管ラックを提供することを目的とする。
本発明は、ファイルフォルダをラックに格納した時、ファイルフォルダに取り付けられたファイル検索用子機の接続端子がラックの接続端子とドッキングする方向に絶えず力が働き、ファイル検索用子機の端子がラックの接続端子から外れにくい有線接続方式のファイル検索用子機保管ラックを提供することを目的とする。
本発明は、ファイルフォルダが前面に倒れにくいファイル検索用子機保管ラックを提供することを目的とする。
【００１５】
【課題を解決するための手段】
上記の課題を解決するため、本発明は下記の構成を有する。
請求項１に記載の発明は、固有識別情報と発光素子とを有し、ファイル検索用親機から送られた前記固有識別情報と発光指令とを含む指令に応じて前記発光素子を発光させる電子装置と、２以上のファイルフォルダ用綴じ穴を有し、前記電子装置を取り付けたシートと、を有することを特徴とするファイル検索用子機である。
【００１６】
ファイルをそれに開けた所定の綴じ穴を利用して綴じる方式のファイルフォルダに、本発明のファイル検索用子機を綴じて使用することが出来る。綴じ穴を利用しないファイルフォルダ（例えば製図図面を収納する箱）又は綴じ穴を有しないファイル（例えば一般の書籍）に付いては、例えば市販のパンチ穴を開ける装置を用いてファイルフォルダ又はファイルの所定の位置に綴じ穴を開け、ファイルフォルダ又はファイルと本発明のファイル検索用子機とを一緒に綴じて使用することが出来る。
【００１７】
本発明は、新規にファイルシステムを導入する時、既存のファイルフォルダに容易に取り付けられる安価なファイル検索用子機を実現出来るという作用を有する。本発明は、ファイルフォルダから簡単に外れないファイル検索用子機を実現出来るという作用を有する。本発明は、それまで取り付けられていたファイルフォルダから新しいファイルフォルダに容易に移し変えることが出来るファイル検索用子機を実現出来るという作用を有する。本発明は、ファイル検索用子機をファイルフォルダに取り付けた状態でのファイル検索用子機の接続端子の位置が、ほぼ一定になり、ファイルフォルダをラックに格納した時、ファイル検索用子機の接続端子がラックの接続端子と確実にドッキングする有線接続方式のファイル検索用子機を実現出来るという作用を有する。
【００１８】
請求項２に記載の発明は、前記シートをファイルフォルダに綴じた状態で、前記発光素子が前小口から背に向かう方向に発光するように、前記電子装置を前記シートに取り付けていることを特徴とする請求項１に記載のファイル検索用子機である。これにより、特にファイルフォルダの背をラックの前面に向けて並べるファイリングシステムにおいて、ユーザが発光するファイル検索用子機を容易に発見出来る。
【００１９】
請求項３に記載の発明は、前記シートをファイルフォルダに綴じた状態で、前記発光素子が天から地に向かう方向又は地から天に向かう方向に発光するように、前記電子装置を前記シートに取り付けていることを特徴とする請求項１に記載のファイル検索用子機である。これにより、特にファイルフォルダの背を下側に向けて並べるファイリングシステムにおいて、ユーザが発光するファイル検索用子機を容易に発見出来る。
【００２０】
請求項４に記載の発明は、前記シートが、縦長ファイルフォルダ用綴じ穴及び横長ファイルフォルダ用綴じ穴の両方を有すること、又は複数の異なる大きさのファイルフォルダ用綴じ穴を有することを特徴とする請求項１に記載のファイル検索用子機である。１つのファイル検索用子機を、縦長ファイルフォルダ及び横長ファイルフォルダのいずれにも取り付けることが出来る。又は１つのファイル検索用子機を、複数の異なる大きさのファイルフォルダ（例えばＡ４及びＢ５。３種類以上のファイルフォルダであっても良い。）のいずれにも取り付けることが出来る。メーカーが揃えるファイル検索用子機の種類を削減削減できる。
【００２１】
請求項５に記載の発明は、前記ファイルフォルダ用綴じ穴が、Ａ３、Ａ４、Ａ５、Ｂ４、Ｂ５若しくはＢ６の縦長若しくは横長ファイルフォルダ用のピッチ８０ｍｍの２穴、Ａ４の縦長ファイルフォルダ用のピッチ８０ｍｍの４穴、Ａ４の縦長ファイルフォルダ用のピッチ９．５ｍｍの３０穴、Ｂ５の縦長ファイルフォルダ用のピッチ９．５ｍｍの２６穴、又はレターサイズ用のピッチ１０８ｍｍの３穴の何れかを含むことを特徴とする請求項１から請求項４のいずれかの請求項に記載のファイル検索用子機である。本発明のファイル検索用子機を、市場で広く使用されているファイルフォルダに取り付けることが出来る。
【００２２】
請求項６に記載の発明は、固有識別情報と発光素子とを有し、ファイル検索用親機から送られた前記固有識別情報と発光指令とを含む指令に応じて前記発光素子を発光させる電子装置と、平面形状であって一端に前記電子装置を取り付けたシート、又は各々の１辺を直接又は他の面を介して相互に接続され狭い間隔でほぼ平行に対向する第１の平面と第２の平面とを有し、前記第１の平面の一端に前記電子装置を取り付け、前記第１の平面の前記電子装置を取り付けた部分に対向する所に前記第２の平面が存在しないシートと、を有することを特徴とするファイル検索用子機である。
【００２３】
ユーザは、使用するファイルフォルダに合わせてシートに綴じ穴を開け、そのファイルフォルダとファイル検索用子機とを一緒に綴じることにより、本発明のファイル検索用子機を任意のファイルフォルダに取り付けることが出来る。
平面形状であって一端に前記電子装置を取り付けたシートを有するファイル検索用子機は、例えばユーザが背をラックの前面に向けて並べるファイルフォルダに取り付けることにより、ユーザが発光するファイル検索用子機を容易に発見出来る。
【００２４】
各々の１辺を直接又は他の面を介して相互に接続され狭い間隔でほぼ平行に対向する第１の平面と第２の平面とを有し、前記第１の平面の一端に前記電子装置を取り付け、前記第１の平面の前記電子装置を取り付けた部分に対向する所に前記第２の平面が存在しないシートを有するファイル検索用子機は、例えばユーザが背を下側に向けて並べるファイルフォルダに取り付けることにより、ユーザが発光するファイル検索用子機を容易に発見出来る。好ましくは、２つの平面を接続する辺又は面から直角に延びる第２の平面の１辺の少なくとも一部の近傍領域に対向する所に第１の平面が存在しない。これにより、ユーザが第２の平面のその領域に綴じ穴を開ける場合、第１の平面が邪魔にならない。
【００２５】
請求項７に記載の発明は、固有識別情報と発光素子とを有しファイル検索用親機から送られた前記固有識別情報と発光指令とを含む指令に応じて前記発光素子を発光させる電子装置を有するファイル検索用子機を載せるラックであって、その棚板がラックの前側から後側に向かって取り付け高さが低くなるように傾いて取り付けられていることを特徴とするファイル検索用子機保管ラックである。
【００２６】
本発明は、ファイル検索用子機の発光素子がある程度指向性を有していても、ユーザが視線を低くしなくても、発光しているファイル検索用子機を容易に発見できるファイル検索用子機保管ラックを実現出来るという作用を有する。
本発明は、ファイルフォルダをラックに格納した時、ファイルフォルダに取り付けられたファイル検索用子機の接続端子がラックの接続端子とドッキングする方向に絶えず力が働き、ファイル検索用子機の端子がラックの接続端子から外れにくい有線接続方式のファイル検索用子機保管ラックを実現出来るという作用を有する。
本発明は、ファイルフォルダが前面に倒れにくいファイル検索用子機保管ラックを実現出来るという作用を有する。
好ましくは、少なくとも１つの棚は約１０〜約３０度の傾きを有し、少なくとも３度以上で４５度以下の傾きを有する。
【００２７】
請求項８に記載の発明は、少なくとも１段の棚板の傾き角度がその棚板よりも上段の棚板の傾き角度よりも大きく、各棚板の傾き角度はその棚板よりも上段の棚板の傾き角度と同一又はそれよりも大きいことを特徴とする請求項７に記載のファイル検索用子機保管ラックである。
好ましくは最下段の棚板は約３０度の傾きを有する。
【００２８】
【発明の実施の形態】
以下本発明の実施をするための最良の形態を具体的に示した実施例について図面とともに記載する。
【００２９】
《実施例１》
図１〜図４、図８を用いて、実施例１のファイル検索用子機を説明する。図８は実施例１の有線式ファイル検索システムの概略的な構成を示す。図８において、実施例１のファイル検索システムは、ファイル検索用親機８０１、分配器８０２、保管ラック８０３、複数のファイルフォルダ２０４、複数のファイル検索用子機１００（各々固有識別情報を有する。）を有する。従来例と同一の部品には同一の符号を付している。実施例１のファイル検索用子機１００は、従来例のファイル検索用子機１０００のファイルフォルダ１００４に代えて、シート１０１を有する。
ファイル検索用子機１００は、シート１０１を用いて各々１つのファイルフォルダ２０４に取り付けられている（詳細は後述）。保管ラック８０３は複数段の棚板８０５を有し、各棚の上にファイルフォルダ２０４を搭載する。ファイルフォルダ２０４はユーザが本ファイル検索システムを導入前から使用していた既存のファイルフォルダであって、実施例１のファイル検索用子機１００を取り付けられている。ファイル検索用子機１００は、電子装置１０２を有する。
【００３０】
ファイル検索用親機８０１はコンピュータであって、複数のファイル検索用子機１００を管理する。分配器８０２は、ファイル検索用親機８０１と接続されており、且つ複数の保管ラック８０３と接続されている。分配器８０２は、ファイル検索用親機８０１から電力及びコマンドを複数のファイル検索用子機１００に伝送し、複数のファイル検索用子機１００からのレスポンスをファイル検索用親機８０１に伝送する。コマンドは、例えば特定の固有識別情報を有するファイル検索用子機１００に発光を指令するコマンドである。レスポンスは、例えばそのコマンドに対する応答（例えばＡＣＫ）である。
保管ラック８０３は、複数の棚板８０５の上にファイル検索用子機１００を搭載する。保管ラック８０３は、棚板に取り付けされたレールの上下に設けられた導体パターンを通じて、分配器８０２と保管ラック８０３との接続線と（ファイル検索用親機８０１と）、各ファイル検索用子機と、を接続する。
【００３１】
図１（ａ）は実施例１のファイル検索用子機１００の正面図、図１（ｂ）はその右側面図である。実施例１のファイル検索用子機１００は、樹脂製の薄いシート１０１の一端に電子装置１０２を取り付けた構造を有する。シート１０１、固定部１０３及び重ね代１０４を一体にして平面に展開した形状の金型を作成する。その金型で樹脂製のシート打ち抜き、電子装置１０２を取付ける固定部１０３はシートを電子装置１０２に沿って巻くよう折り曲げ、重ね代１０４は熱又は超音波溶着によりシート１０１に接合する。電子装置１０２は、固定部１０３の折り曲げたトンネル状の穴に固定される。
【００３２】
シート１０１は耐久性を有し且つ好ましくは更に軽くて安価であれば任意の材料であっても良い。シート１０１には背側のファイルフォルダ用綴じ穴１０５ａ、１０５ｂ、１０５ｃ、１０５ｄと、地側のファイルフォルダ用綴じ穴１０６ａ、１０６ｂとが設けられている。ファイルフォルダ用綴じ穴１０５ａ及び１０５ｃ、１０５ｂ及び１０５ｄ、１０６ａ及び１０６ｂは、それぞれ８０ｍｍのピッチを有し、ファイル検索用子機１００をＡ４サイズのファイルフォルダに取り付けるのに適した位置に設けられている。
実施例１のファイル検索システムは、ファイル検索用子機の形状及び保管ラックの形状を除いて従来例のファイル検索システムと同一である（電気回路、ソフトウエアプログラムは同一）。電子装置１０２は発光素子１２０４を有する。電子装置１０２（従来例と同一）の詳細は既に説明している。電子装置１０２はファイル検索用親機から送られた固有識別情報と発光指令とを含む指令に応じて発光素子１２０４を発光させる。
【００３３】
図２（ａ）は実施例１のファイル検索用子機１００をＡ４サイズで縦長のファイルフォルダ２０４の背側に取り付け、ファイルフォルダを閉じた様子を示し、図２（ｂ）はファイルフォルダ２０４を開いた様子を示す。
図２において、ファイル検索用子機１００は、図４に示す市販されている８０ｍｍピッチの金属製ファスナ（ファイルを綴じることが出来れば、任意のファスナを用いることが出来る。）で、その背側のファイルフォルダ用綴じ穴１０５ａ及び１０５ｃを利用して、既存のファイルフォルダ２０４に取り付けられている。図２に示すように、ファイル検索用子機１００のほぼ電子装置１０２のみがファイルフォルダの地側（又は天側）から飛び出し、ファイル検索用子機１００のそれ以外の部分はファイルフォルダ２０４の中に隠れる。
【００３４】
ファイル検索用親機８０１からファイル検索用子機１００の固有識別情報を入力すると、その固有識別情報を有するファイル検索用子機１００の発光素子は２０２の方向に発光する。発光素子がファイルフォルダの天又は地の方向にはみ出し、前小口から背に向かう方向に発光する故に、ファイルフォルダの背をラックの前面に向けて並べるファイリングシステムにおいてこれを使用した場合、ユーザが発光するファイル検索用子機を容易に発見出来る。
例えば背側に綴じ穴が開いている（又は開けることが出来る）ファイルフォルダについては図２の方法でファイル検索用子機１００をファイルフォルダに取り付ける。例えばノート等の薄いファイル、又は表表紙と裏表紙からなる紙製のファイルフォルダには、図２のように背表紙側に市販されている２穴パンチ器により綴じ穴を開け、その穴とファイル検索用子機１００の綴じ穴とを市販されているファスナーで一緒に綴じる。例えば製図図面の収納箱の蓋に２穴パンチ器により綴じ穴を開けることにより、ファイル検索用子機１００を収納箱の蓋に取り付けることが出来る。
【００３５】
図３（ａ）は実施例１のファイル検索用子機１００をＡ４サイズで縦長の他のファイルフォルダ３０４の地側に取り付け、ファイルフォルダを閉じた様子を示し、図３（ｂ）はファイルフォルダ３０４を開いた様子を示す。
図３において、ファイル検索用子機１００は、図４に示す既存の８０ｍｍピッチの金属製ファスナで、その地側のファイルフォルダ用綴じ穴１０６ａ及び１０６ｂを利用して、既存のファイルフォルダ３０４に取り付けられている。図３に示すように、ファイル検索用子機１００のほぼ電子装置１０２のみがファイルフォルダの地側（又は天側）から飛び出し、ファイル検索用子機１００のそれ以外の部分はファイルフォルダ３０４の中に隠れる。図２と同様に、ファイルフォルダの背をラックの前面に向けて並べるファイリングシステムにおいてこれを使用した場合、ユーザが発光するファイル検索用子機を容易に発見出来る。
例えば背側に綴じ穴が開けられないファイルフォルダについては図３の方法でファイル検索用子機１００をファイルフォルダに取り付ける。例えば厚いファイル（例えば書籍）に、図３のように表紙下部側に２穴パンチ器でとじ穴を開け、により綴じ穴を開け、その穴とファイル検索用子機１００の綴じ穴とを市販されているファスナーで一緒に綴じる。図３の方法によれば、ファイルフォルダの地側（又は天側）の綴じ穴はファイルフォルダの表紙に負担を掛け、表紙が破損しやすくなる。それ故に出来るだけ図２の方法で綴じることが好ましい。
【００３６】
ファイル検索用子機１００をＡ４サイズで横長のファイルフォルダの背側に取り付ける場合は、その背側のファイルフォルダ用綴じ穴１０５ｂ及び１０５ｄを利用して、既存のファイルフォルダに取り付ける。ファイル検索用子機１００の電子装置１０２の近傍のみがファイルフォルダの地側（又は天側）から飛び出し、ファイル検索用子機１００のそれ以外の部分はファイルフォルダの中に隠れる。１種類のファイル検索用子機１００をＡ４サイズで縦長のファイルフォルダ及び横長のファイルフォルダの両方に使用できる。
ファイル検索用子機１００をＡ４サイズで縦長又は横長のファイル（例えば書籍）に取り付けることも出来る。ファイルが背側にファイルフォルダ用綴じ穴を既に有している場合、ファイル検索用子機１００のほぼ電子装置１０２のみが図２よりもファイルフォルダの地側（又は天側）から長く飛び出すが（一般にＡ４のファイルフォルダはＡ４のファイルよりも僅かに縦及び横が長い故である。）、その程度は十分実用の範囲である。
【００３７】
図８を用いて、保管ラック８０３を説明する。実施例１の保管ラック８０３は、その棚板８０５が保管ラックの前側から後側に向かって取り付け高さが低くなるように傾いて取り付けられていることを特徴とする。棚板８０５の上に置かれたファイルフォルダは、奥の方に少し倒れた状態になる。更に、少なくとも１段の棚板の傾き角度がその棚板よりも上段の棚板の傾き角度よりも大きく、各棚板の傾き角度はその棚板よりも上段の棚板の傾き角度と同一又はそれよりも大きい。実施例１の保管ラック８０３の最下段の棚板８０５は約３０度の傾きを有し、一段毎に傾きが減っていって（各棚板の傾き角度はその棚板よりも上段の棚板の傾き角度よりも大きい。）、最上段の棚板８０５は約１０度の傾きを有する。
好ましくは、少なくとも１つの棚は約１０〜約３０度の傾きを有し、少なくとも３度以上で４５度以下の傾きを有する。
【００３８】
従来、ファイルフォルダの取出し時に、その両側に置かれたファイルフォルダが前に引っ張られて位置ずれし、通信不具合が発生する恐れがあった。ファイルフォルダが保管ラックの奥まで十分挿入されていない状態になると、電子装置１０２の接点対１２０６がレール１２０１の平面電極から離れ、ファイル検索用子機１００はファイル検索用親機８０１と通信できなくなる。実施例１の保管ラック８０３の棚板８０５に傾斜を付けることにより、ファイルフォルダにラックの奥へ向う力を発生させて、ファイルフォルダの位置ずれを防止している。
【００３９】
図８においては、電子装置１０２が棚板８０５に当たるまでファイルフォルダが保管ラック８０３に押し込まれる（図１２参照）。電子装置１０２をストッパーとして接点位置の安定を図っている。図１２において、棚板の傾斜により発生する力がファイルフォルダを保管ラックの奥方向へ押し込み、カイドフレーム１２０２等がストッパーとなってこの力を受ける。電子装置１０２の接点対１２０６は安定してレール１２０１の平面電極に接触する。
傾斜により発生する力はファイルがラック前面に倒れることを防止する力となっている。
【００４０】
保管ラック８０３の下段程、棚板８０５の傾斜角度が大きくなっているので、検索者（ユーザ）は立ったままの姿勢で、最上段から最下段までの任意のファイル検索用子機１００が点灯したことを容易に発見できる。
各段の棚板８０５の傾斜角度は、ファイルとファイルとの間の摩擦係数、ファイルと棚板との間の摩擦係数、平均的なファイルの密集度等を考慮した時、電子装置１０２の接点対１２０６が安定してレール１２０１の平面電極に接触すること、ユーザが点灯した表示器（発光素子）を容易に発見出来ること、保管ラックが十分なファイルの保管量を有すること、及び保管ラックに収められたファイルの取扱性が良いこと等を考慮して、最適値を決定する。
【００４１】
《実施例２》
図５を用いて、実施例２のファイル検索用子機を説明する。実施例２のファイル検索用子機は、形状（図５）のみが実施例１（図１）と異なり、それ以外の点は同一である。図５を説明する。図５（ａ）は実施例２のファイル検索用子機５００の正面図、図５（ｂ）はその右側面図である。実施例２のファイル検索用子機５００は、樹脂製の薄いシート５０１の一端に電子装置１０２を取り付けた構造を有する。シート５０１、固定部１０３及び重ね代１０４を一体にして平面に展開した形状の金型を作成する。その金型で樹脂製のシート打ち抜き、電子装置１０２を取付ける固定部１０３はシートを電子装置１０２に沿って巻くよう折り曲げ、重ね代１０４は熱又は超音波溶着によりシート５０１に接合する。電子装置１０２は、固定部１０３の折り曲げたトンネル状の穴に固定される。
【００４２】
シート５０１は耐久性を有し且つ好ましくは更に軽くて安価であれば任意の材料であっても良い。シート５０１には背側のファイルフォルダ用綴じ穴５０５が設けられている。実施例においてはファイルフォルダ用綴じ穴５０５は、Ａ４の縦長ファイルフォルダ用のピッチ９．５ｍｍの３０穴である。
電子装置１０２は発光素子１２０４を有する。電子装置１０２の詳細は既に説明している。電子装置１０２はファイル検索用親機から送られた固有識別情報と発光指令とを含む指令に応じて発光素子１２０４を発光させる。
実施例２のファイル検索用子機は、ピッチ９．５ｍｍの３０穴の綴じ穴を有するＡ４の縦長ファイルフォルダに取り付けるのに適している（取り付け方法は図２又は図３に示す方法）。
【００４３】
他の実施例のファイル検索用子機は、シート上に、Ａ３、Ａ５、Ｂ４、Ｂ５若しくはＢ６の縦長若しくは横長ファイルフォルダ用のピッチ８０ｍｍの２穴のファイルフォルダ用綴じ穴、Ａ４の縦長ファイルフォルダ用のピッチ８０ｍｍの４穴のファイルフォルダ用綴じ穴、Ｂ５の縦長ファイルフォルダ用のピッチ９．５ｍｍの２６穴のファイルフォルダ用綴じ穴、又はレターサイズ用のピッチ１０８ｍｍの３穴のファイルフォルダ用綴じ穴を有する。
縦長ファイルフォルダ用の綴じ穴及び横長ファイルフォルダ用の綴じ穴の両方を具備していても良い。複数の異なるサイズのファイルフォルダ用の綴じ穴を有していても良い。例えばＡ４及びＢ５の縦長ファイルフォルダ用のピッチ８０ｍｍの２穴のファイルフォルダ用綴じ穴を具備していても良い。
【００４４】
《実施例３》
図６及び図７を用いて、実施例３のファイル検索用子機６００を説明する。実施例３のファイル検索用子機６００は、形状（図６）及び取り付け方法（図７）のみが実施例１（図１、図２及び図３）と異なり、それ以外の点は同一である。
図６を説明する。図６（ａ）は実施例３のファイル検索用子機６００の平面図、図６（ｂ）はその正面図、図６（ｃ）はその右側面図である。実施例３のファイル検索用子機６００は、樹脂製の薄い第１のシート６０１、第２のシート６０２、第３のシート６０３、固定部６０４及び重ね代６０５と、第１のシート６０１の一端に配した固定部６０４により取り付けた電子装置１０２と有する。
【００４５】
樹脂製の薄い第１のシート６０１、第２のシート６０２、第３のシート６０３、固定部６０４及び重ね代６０５は一体の樹脂成形品である。第１のシート６０１と第２のシート６０２とは、各々の１辺を第３のシート６０３を介して相互に接続され狭い間隔（薄い紙を間に挟める程度の間隔）でほぼ平行に対向する。２枚のシート（裏と表との表紙）を開いたり閉じたり出来る従来例と異なり、第１のシート６０１と第２のシート６０２との間の角度は一定である。第１のシート６０１と第２のシート６０２とは、各々の１辺を直接相互に接続され狭い間隔でほぼ平行に（薄い紙を間に挟める程度の狭い内角のＶ字型に）対向しても良い。前記第１のシート６０１の電子装置１０２を取り付けた部分に対向する所に第２のシート６０２が存在しない。２つの平面を接続する面（第３のシート６０３。又は２つの平面を接続する辺）から直角に延びる第２のシート６０２の１辺の近傍領域に綴じ穴６０５ａ、６０５ｂ、６０５ｃ、６０５ｄが設けられている。綴じ穴６０５ａ〜６０５ｄが設けられている領域に対向する所に第１のシート６０１が存在しない。これにより、ユーザが第２のシート６０２に設けられた綴じ穴を利用してファイル検索用子機をファイルフォルダに取り付ける時、第１のシート６０１が邪魔にならない。
【００４６】
第１のシート６０１の下端に固定部６０４及び重ね代６０５を平面に展開して取り付け、且つその第１のシート６０１、第２のシート６０２及び第３のシート６０３の全体が図６に示す一定の立体的形状になるような樹脂金型を作成する。その金型で一体で樹脂を成形する。第１のシート６０１の下端の固定部６０４に相当する所に電子装置１０２を置き、シートを電子装置１０２に沿って巻くよう折り曲げ、重ね代６０５を熱又は超音波溶着により第１のシート６０１に接合する。電子装置１０２は、固定部６０４の折り曲げたトンネル状の穴に固定される。綴じ穴６０５ａ〜６０５ｄは、成形後に打ち抜いても良い。シート６０１〜６０３は耐久性を有し且つ好ましくは更に軽くて安価であれば任意の材料であっても良い。
ファイルフォルダ用綴じ穴６０５ａ及び６０５ｃ、６０５ｂ及び６０５ｄは、それぞれ８０ｍｍのピッチを有し、ファイル検索用子機１００をＡ４サイズのファイルフォルダに取り付けるのに適した位置に設けられている。
【００４７】
図７（ａ）は実施例３のファイル検索用子機６００をＡ４サイズで縦長のファイルフォルダ７０４の背側に取り付け、ファイルフォルダを開いた様子を示す。図７（ａ）において、第１のシート６０１と第２のシート６０２との間にファイルフォルダ７０４の一方の背表紙を挟み込んで、第２のシート６０２の上に設けられた綴じ穴６０５ａ及び６０５ｃと、挟み込んだファイルフォルダ７０４の背表紙に設けられた綴じ穴とを市販のファスナ２０１で綴じる。このようにして、ファイル検索用子機６００をファイルフォルダ７０４に取り付ける。ファイルフォルダ７０４を閉じると、ほぼ電子装置１０２のみがファイルフォルダの背の方向にはみ出し（ファイル検索用子機６００のシートは、発光素子１２０４が前小口の方向にはみ出すような形状でも良い。）、その発光素子１２０４が天から地に向かう方向又は地から天に向かう方向に発光する（図７（ａ）の矢印７０５の方向）。
【００４８】
図７（ｂ）は実施例３のファイル検索用子機６００をＡ４サイズで横長のファイルフォルダ７０６の背側に取り付け、ファイルフォルダを開いた様子を示す。第２のシート６０２の上に設けられた綴じ穴６０５ｂ及び６０５ｄを使用して第２のシート６０２をファイルフォルダ７０６に綴じる。それ以外の取り付け方法は図７（ａ）と同様である。
実施例３のファイル検索用子機６００をファイルフォルダの背を下側に向けて並べるファイリングシステムに使用することにより、ユーザは発光するファイル検索用子機を容易に発見出来る。
【００４９】
《実施例４》
図１３及び図１４を用いて、実施例４のファイル検索用子機１３００を説明する。実施例４のファイル検索用子機１３００は、形状（図１３）及び取り付け方法（図１４）のみが実施例１（図１、図２及び図３）と異なり、それ以外の点は同一である。
図１３を説明する。図１３（ａ）は実施例４のファイル検索用子機１３００の正面図、図１３（ｂ）はその右側面図である。実施例４のファイル検索用子機１３００は、樹脂製の薄いシート１３０１の一端に電子装置１０２を取り付けた構造を有する。シート１３０１、固定部１０３及び重ね代１０４を一体にして平面に展開した形状の金型を作成する。その金型で樹脂製のシート打ち抜き、電子装置１０２を取付ける固定部１０３はシートを電子装置１０２に沿って巻くよう折り曲げ、重ね代１０４は熱又は超音波溶着によりシート１３０１に接合する。電子装置１０２は、固定部１０３の折り曲げたトンネル状の穴に固定される。
【００５０】
シート１３０１は耐久性を有し且つ好ましくは更に軽くて安価であれば任意の材料であっても良い。シート１３０１には背側のファイルフォルダ用綴じ穴１３０５ａ、１３０５ｂ、１３０５ｃ、１３０５ｄと、地側のファイルフォルダ用綴じ穴１３０６ａ、１３０６ｂとが設けられている。ファイルフォルダ用綴じ穴１３０５ａ及び１３０５ｃ、１３０５ｂ及び１３０５ｄ、１３０６ａ及び１３０６ｂは、それぞれ８０ｍｍのピッチを有し、ファイル検索用子機１３００をＡ４サイズのファイルフォルダに取り付けるのに適した位置に設けられている。
【００５１】
図１４は実施例４のファイル検索用子機１３００をＡ４サイズで縦長のファイルフォルダ１３０４の外側から背側に取り付け、ファイルフォルダを閉じた様子を示す。図１４において、ファイル検索用子機１３００は、図４に示す市販されている８０ｍｍピッチの金属製ファスナ２０１で、その背側のファイルフォルダ用綴じ穴１３０５ａ及び１３０５ｃを利用して、既存のファイルフォルダ１３０４に取り付けられている。図４に示すように、ファイル検索用子機１３００のほぼ電子装置１０２のみがファイルフォルダの背側から飛び出し、ファイル検索用子機１３００のそれ以外の部分はファイルフォルダ１３０４と重なっている。
【００５２】
ファイル検索用親機８０１からファイル検索用子機１３００の固有識別情報を入力すると、その固有識別情報を有するファイル検索用子機１３００の発光素子は１４０１の方向に発光する。電子装置１０２の発光素子１２０４がファイルフォルダの背の方向にはみ出し（ファイル検索用子機１３００のシートは、発光素子１２０４がファイルフォルダ１３０４の前小口の方向にはみ出すような形状でも良い。）、天から地に向かう方向又は地から天に向かう方向に発光する。
実施例４のファイル検索用子機１３００をファイルフォルダの背を下側に向けて並べるファイリングシステムに使用することにより、ユーザは発光するファイル検索用子機を容易に発見出来る。実施例４のファイル検索用子機１３００は、ファイルフォルダの外側に取り付ける点で実施例３より使い勝手が劣るが（例えば綴じ部に外力が加わって破損し易い。）、実施例３と比較して金型が極めて安価であり、シートのコストも安い。
【００５３】
実施例３、４のファイル検索用子機はＡ４サイズのファイルフォルダに適した形状を有していたが、任意の綴じ穴を有し、任意の形状のファイルフォルダに適したファイル検索用子機を実現できることは言うまでもない。
【００５４】
《実施例５》
実施例５のファイル検索用子機を説明する。実施例５のファイル検索用子機は、上記の実施例１〜４のいずれかのファイル検索用子機と同様の形状を有するが、綴じ穴を設けていない。ユーザが使用時に又はユーザが出荷直前にシートの適切な位置に綴じ穴を設ける。例えば一般に広く使われている柔らかい樹脂製のシートであれば、綴じ穴を後から開けることは容易である。メーカーはファイル検索用子機の種類を減らすことが出来、又は多種のファイル検索用子機を在庫する必要がなくなる。
【００５５】
《実施例６》
図９を用いて、実施例６の保管ラック９０３を説明する。図９は実施例６のファイル検索システムの概略的な構成を示す。実施例６において、保管ラック９０３のみが実施例１と異なる。実施例１と同様に、実施例６の保管ラック９０３は、その棚板８０５が保管ラックの前側から後側に向かって取り付け高さが低くなるように傾いて取り付けられている。更に、少なくとも１段の棚板の傾き角度がその棚板よりも上段の棚板の傾き角度よりも大きく、各棚板の傾き角度はその棚板よりも上段の棚板の傾き角度と同一又はそれよりも大きい。実施例６の保管ラック９０３の最下段の棚板８０５は約３０度の傾きを有し、一段毎に傾きが減っていって（各棚板の傾き角度はその棚板よりも上段の棚板の傾き角度よりも大きい。）、最上段の棚板８０５は約１０度の傾きを有する。
好ましくは、少なくとも１つの棚は約１０〜約３０度の傾きを有し、少なくとも３度以上で４５度以下の傾きを有する。
【００５６】
実施例１においては、電子装置１０２をストッパーとして接点位置の安定を図っていた。実施例６においては、ユーザはファイルフォルダ９０４をストッパ９０６に当たるまで押し込む。これにより電子装置１０２の位置ずれを防止している。この点でのみ、実施例６の保管ラック９０３は実施例１と異なる。実施例６の保管ラックは実施例１と同様の効果を有する。例えば電子装置１０２がファイルフォルダの内部、前面又は側面に取付けられ、ストッパとならない場合（例えば無接点方式のファイル検索システム）、実施例６の保管ラックは有用である。
【００５７】
本発明は、有線式のファイル検索システムのみならず、赤外線又は電磁通信方式等の無接点のファイル検索システムにおいても有用である。赤外線又は電磁通信方式等の無接点のファイル検索システムにおいては、ファイルフォルダの背表紙とファイルとの間のスペース、ファイルフォルダの背表紙の前面、又はファイルフォルダの下部側面ににファイル検索用子機を収納し、本発明に類似した固定部により、市販フォルダに取付けることも可能である。
【００５８】
【発明の効果】
本発明によれば、新規にファイルシステムを導入する時、既存のファイルフォルダに容易に取り付けられる安価なファイル検索用子機を実現出来るという有利な効果が得られる。ファイル検索システムの導入時に、ユーザはファイル検索用子機を既存のファイルフォルダに取り付けるだけで良い。ファイルを既存のファイルフォルダからファイル検索システム専用のファイルフォルダに移し変えていた従来の作業に較べて、システム導入時の労力を大幅に削減できる。ユーザがファイル検索システム導入前に使用していたフォルダをそのまま流用できるため、メーカーは種々の専用のファイルフォルダを製品として揃える必要がなくなる。ファイルフォルダを有していない本発明のファイル検索用子機は安価である。これらの効果により、本発明のファイル検索用子機を有するファイル検索システムを、従来の市場よりも広い、システムの使用頻度が比較的低い分野を含む新たな市場に導入出来る。
【００５９】
本発明によれば、ファイルフォルダから簡単に外れないファイル検索用子機を実現出来るという有利な効果が得られる。
本発明によれば、それまで取り付けられていたファイルフォルダから新しいファイルフォルダに容易に移し変えることが出来るファイル検索用子機を実現出来るという有利な効果が得られる。
本発明によれば、ファイル検索用子機をファイルフォルダに取り付けた状態でのファイル検索用子機の接続端子の位置が、ほぼ一定になり、ファイルフォルダをラックに格納した時、ファイル検索用子機の接続端子がラックの接続端子と確実にドッキングする有線接続方式のファイル検索用子機を実現出来るという有利な効果が得られる。
【００６０】
本発明によれば、ファイル検索用子機の発光素子がある程度指向性を有していても、ユーザが視線を低くしなくても、発光しているファイル検索用子機を容易に発見できるファイル検索用子機の保管ラックを実現出来るという有利な効果が得られる。
本発明によれば、ファイルフォルダをラックに格納した時、ファイルフォルダに取り付けられたファイル検索用子機の接続端子がラックの接続端子とドッキングする方向に絶えず力が働き、ファイル検索用子機の端子がラックの接続端子から外れにくい有線接続方式のファイル検索用子機の保管ラックを実現出来るという有利な効果が得られる。
本発明によれば、地震等が起きてもファイルフォルダが前面に倒れにくいファイル検索用子機の保管ラックを実現出来るという有利な効果が得られる。
保管ラックの傾斜角度を下段程大きく取ることにより、検索者（ユーザ）は、発光している表示器（発光素子）を容易に発見出来る。
【図面の簡単な説明】
【図１】図１（ａ）は実施例１のファイル検索用子機１００の正面図、図１（ｂ）はその右側面図である。
【図２】図２（ａ）は実施例１のファイル検索用子機１００をＡ４サイズで縦長のファイルフォルダ２０４の背側に取り付け、ファイルフォルダを閉じた様子を示す図、図２（ｂ）はファイルフォルダ２０４を開いた様子を示す図である。
【図３】図３（ａ）は実施例１のファイル検索用子機１００をＡ４サイズで縦長の他のファイルフォルダ３０４の地側に取り付け、ファイルフォルダを閉じた様子を示す図、図３（ｂ）はファイルフォルダ３０４を開いた様子を示す図である。
【図４】図４は市販されている８０ｍｍピッチの金属製ファスナを示す図である。
【図５】図５（ａ）は実施例２のファイル検索用子機５００の正面図、図５（ｂ）はその右側面図である。
【図６】図６（ａ）は実施例３のファイル検索用子機６００の平面図、図６（ｂ）はその正面図、図６（ｃ）はその右側面図である。
【図７】図７（ａ）は実施例３のファイル検索用子機６００をＡ４サイズで縦長のファイルフォルダ７０４の背側に取り付け、ファイルフォルダを開いた様子を示す図、図７（ｂ）は実施例３のファイル検索用子機６００をＡ４サイズで横長のファイルフォルダ７０６の背側に取り付け、ファイルフォルダを開いた様子を示す図である。
【図８】図８は実施例１の有線式ファイル検索システムの概略的な構成を示す図である。
【図９】図９は実施例６のファイル検索システムの概略的な構成を示す図である。
【図１０】図１０は、従来例のファイル検索システムの概略的な構成を示す図である。
【図１１】図１１は従来例のファイル検索用子機１０００の外観図である。
【図１２】図１２は、ファイル検索用子機１０００と棚板８０５との接続部分を拡大した図である。
【図１３】図１３（ａ）は実施例４のファイル検索用子機１３００の正面図、図１３（ｂ）はその右側面図である。
【図１４】図１４は実施例４のファイル検索用子機１３００をＡ４サイズで縦長のファイルフォルダ１３０４の外側から背側に取り付け、ファイルフォルダを閉じた様子を示す図である。
【符号の説明】
１００、５００、６００、１０００、１３００　ファイル検索用子機
１０１、５０１、６０１、６０２、６０３、１３０１　　シート
１０２　　電子装置
１０３、６０４、１１０１　　固定部
１０４、６０５　　重ね代
１０５ａ〜１０５ｄ、１０６ａ、１０６ｂ、５０５、６０５ａ〜６０５ｄ、１３０５ａ〜１３０５ｄ、１３０６ａ、１３０６ｂ　　ファイルフォルダ用綴じ穴
２０１　　ファスナ
２０４、３０４、７０４、７０６、９０４、１００４、１３０４　ファイルフォルダ
８０１　ファイル検索用親機
８０２　分配器
８０３　　保管ラック
８０５　　棚板
９０６　　ストッパ
１００３　保管ラック
１２０４　発光素子
【図１】
2004035190.tif 000003
【図２】
2004035190.tif 000004
【図３】
2004035190.tif 000005
【図４】
2004035190.tif 000006
【図５】
2004035190.tif 000007
【図６】
2004035190.tif 000008
【図７】
2004035190.tif 000009
【図８】
2004035190.tif 000010
【図９】
2004035190.tif 000011
【図１０】
2004035190.tif 000012
【図１１】
2004035190.tif 000013
【図１２】
2004035190.tif 000014
【図１３】
2004035190.tif 000015
【図１４】
2004035190.tif 000016